(57)【要約】【課題】複雑な技術や構造を要することなく、光記録媒体の多値情報を再生することが可能な多値情報再生方法、および多値情報再生装置を提供する。【解決手段】光源１１から出射される再生光の偏光状態を１／４波長板１３にて円偏光に変換し、変換後の再生光を光記録媒体３００Ａの記録層３２にある記録部位３６に集光させ、該記録部位３６を透過させる。この透過により、偏光状態が変化した再生光を偏光ビームスプリッタ１６にて、互いに直交する２つの偏光に分離し、第１および第２検出器１８，１９を用いて、各々の光量を検出する。検出結果は、記録部２１に記憶されたデータと照合することで、検証部２０により検証され、これにより、再生対象の記録信号が判明し、多値情報の再生を行うことが出来る。【選択図】図１
2009099226.tif 000002
【特許請求の範囲】
【請求項１】
記録光の偏光状態を記録情報に応じて変化させ、前記偏光状態を多値情報として記録する光記録媒体を再生する多値情報再生装置であって、
前記光記録媒体に対して再生を行う為の再生光を出射する光源と、
前記光源から出射され、前記光記録媒体の記録層に集光された再生光を２つの偏光に分離するための分離手段と、
前記分離手段で分離された２つの偏光の内、一方の偏光について光量の検出を行う第１検出器と、
前記分離手段で分離された２つの偏光の内、他方の偏光について光量の検出を行う第２検出器と、
前記第１検出器および前記第２検出器により検出された検出結果を検証する検証手段と、
を備えていることを特徴とする多値情報再生装置。
【請求項２】
請求項１に記載の多値情報再生装置において、
前記分離手段は、前記再生光の一方を透過し、他方を反射することで、互いに直交する２つの偏光に分離する偏光ビームスプリッタから成ることを特徴とする多値情報再生装置。
【請求項３】
請求項１に記載の多値情報再生装置において、
前記検証手段は、前記第１検出器と前記第２検出器による検出結果に基づいて、前記光記録媒体に記録された偏光状態を検証する検証部と、前記分離手段で２つに分離された偏光の光量と多値情報との関係を記憶した記憶部から成ることを特徴とする多値情報再生装置。
【請求項４】
請求項１に記載の多値情報再生装置において、
前記光源から出射した記録光の偏光状態を円偏光に変換する１／４波長板を設けたことを特徴とする多値情報再生装置。
【請求項５】
請求項１に記載の多値情報再生装置において、
前記光源から出射される前記再生光の偏光状態を円偏光に変換した後に、前記記録層に集光させ、前記記録層に集光した再生光を、前記分離手段にて互いに直交する２つの偏光に分離し、分離した各々の偏光に対して、前記第１検出器および前記第２検出器により、光量の検出を行い、前記検証手段により、前記再生光を集光させた前記記録層の偏光状態を検証することにより、前記記録光の偏光状態に応じた記録情報を再生することを特徴とする多値情報記録方法。
【発明の詳細な説明】
【技術分野】
【０００１】
本発明は、大容量のデータを高密度に記録した光記録媒体の再生方法および再生装置に関するものであり、データを記録する際に用いる記録光の偏光状態を変化させることで、異なる偏光状態を多値情報として記録した光記録媒体の多値情報再生方法および多値情報再生装置に関する。
【背景技術】
【０００２】
近年、テレビジョン放送の録画や、ビデオカメラやデジタルカメラなどの撮像装置による撮影において、大容量のデータを保存するための記録媒体として、ＤＶＤ（Digital Versatile Disk）やＢＤ（Blu-ray Disc；登録商標）などの光記録媒体が用いられている。
【０００３】
しかしながら、テレビジョン放送のデジタル化や撮像装置の高性能化、映像のＨＤ（High Definition）化など、今後の技術革新によって、動画データに代表される記録データの更なる大容量化が見込まれる。
【０００４】
これらの動向に対応すべく、光記録技術の分野において、高密度な光記録方式および光記録媒体に関する様々な研究がなされており、一例としては、ホログラム記録方式および該記録方式に対応したＨＶＤ（Holographic Versatile Disc）が挙げられる。
【０００５】
特許文献１には、光源からの出射光を２つの分割光に分割し、記録情報に応じて、一方の分割光に異なる位相差を与え、２つの分割光を合成することで記録光を生成し、該記録光により光記録媒体に対してデータの記録を行う光学情報記録方法および装置が記載されている。
【０００６】
特許文献２には、光記録媒体の単位記録マーク部内に、回折角の異なる回折光が得られる回折パターンを、記録情報に応じて形成することで記録を行い、該単位記録マーク部にビーム光を照射することにより出射される複数の回折光を情報信号として検出し、再生を行う光記録再生方法および装置が記載されている。
【０００７】
特許文献３には、照射された光の反射光量の変化を与える断続する第１のマークの列から成る渦巻状または同心円状の情報トラックを記録媒体上に記録形成し、かつ、情報トラックの幅方向にある第１のマークの側縁部に、照射された光の反射光量の変化を与える第２のマークを、その側縁部を密接または一部重複して記録形成し、情報信号を第１のマークの断続と第２のマークの情報トラックの幅方向の変位および断続により記録する光学的記録方法および装置が記載されている。
【０００８】
特許文献４には、情報の記録単位であるピット毎に、スリットまたはグレーティングを異なる直交方向に形成し、情報再生の際に、ピットの有無に加えて、ピットに形成されたスリット等の形成方向を検出することで、従来の記録密度を倍増させることが出来る情報記録および再生に係る方法および装置が記載されている。
【０００９】
特許文献５には、記録する情報に対応した格子方向の微細回折格子で情報ピットを形成することにより、高密度に情報を記録することが出来る記録媒体およびその書込み・再生装置が記載されている。
【００１０】
【特許文献１】特許第３５５１７０８号公報
【特許文献２】特開平０７−０１４１６７号公報
【特許文献３】特開平０８−３１５３６８号公報
【特許文献４】特開２０００−３０６２４０号公報
【特許文献５】特許第３０６７８７２号公報
【発明の開示】
【発明が解決しようとする課題】
【００１１】
上記特許文献に示されるように、多値情報を記録し、記録容量の大容量化を図る方法としては、記録光の位相や光量を変化させることによって、反射率の異なるピットを光記録媒体に形成し、多値情報を記録する記録方法（特許文献１）や、情報の記録単位であるピットの形状や構造を変化させることにより、多値情報を記録する記録方法（特許文献２〜５）がある。
【００１２】
しかしながら、ＢＤなどの次世代光記録媒体では、ピットの間隔を狭めることによって、高密度な記録を行っているため、上述した記録方法により、次世代光記録媒体のピットに対して、形状や構造を変化させることは技術的な面で困難を極める。よって、上述の記録方法による記録容量の大容量化は、容易なものとは言えない。
これにより、上述の記録方法により記録された光記録媒体の再生も、容易に実現出来るものとは言い難い。
【００１３】
本発明は、上述した問題点に鑑み、複雑な技術や構造を要することなく、光記録媒体の多値情報を再生することが可能な多値情報再生方法、および多値情報再生装置を提供することを目的としている。
【課題を解決するための手段】
【００１４】
本発明に係る多値情報再生装置は、記録光の偏光状態を記録情報に応じて変化させ、偏光状態を多値情報として記録する光記録媒体を再生する多値情報再生装置であって、光記録媒体に対して再生を行う為の再生光を出射する光源と、光源から出射され、光記録媒体の記録層に集光された再生光を２つの偏光に分離するための分離手段と、分離手段で分離された２つの偏光の内、一方の偏光について光量の検出を行う第１検出器と、分離手段で分離された２つの偏光の内、他方の偏光について光量の検出を行う第２検出器と、第１検出器および第２検出器により検出された検出結果を検証する検証手段とを備えている。
【００１５】
このようにすることで、再生光を集光させた光記録媒体の記録層に記録されている偏光状態を検出することが出来るため、該検出結果に基づいて記録されている偏光状態に係る多値情報を容易に再生することが出来る。
【００１６】
本発明の多値情報再生装置において、分離手段は、再生光の一方を透過し、他方を反射することで、互いに直交する２つの偏光に分離する偏光ビームスプリッタから成る。
【００１７】
このようにすることで、互いに直交する２つの偏光として、光源から出射させた記録光を正確に分離することが出来るため、複雑な技術や構造を必要としない。
【００１８】
本発明の多値情報再生装置において、検証手段は、第１検出器と第２検出器による検出結果に基づいて、光記録媒体に記録された偏光状態を検証する検証部と、分離手段で２つに分離された偏光の光量と多値情報との関係を記憶した記憶部から成る。
【００１９】
このようにすることで、複雑な技術や構造を必要とせずに、２つに分離された偏光の光量と多値情報との関係を容易に検証することが出来る。
【００２０】
本発明の多値情報再生装置においては、光源から出射した記録光の偏光状態を円偏光に変換する１／４波長板を設けている。
【００２１】
このようにすることで、互いに直交する２つの偏光の光量比が１：１となるため、各々の偏光に対する光量の検出が容易となる。
【００２２】
本発明の多値情報再生方法は、光源から出射される再生光の偏光状態を円偏光に変換した後に、記録層に集光させ、記録層に集光した再生光を、分離手段にて互いに直交する２つの偏光に分離し、分離した各々の偏光に対して、第１検出器および第２検出器により、光量の検出を行い、検証手段により、再生光を集光させた記録層の偏光状態を検証することにより、記録光の偏光状態に応じた記録情報を再生する。
【００２３】
このようにすることで、分離手段により分離された２つの偏光の光量に基づき、光記録媒体の記録層に記録された偏光状態を検証でき、これにより該偏光状態に応じた記録情報を検証することが出来るため、複雑な技術や構造を要することなく、光記録媒体に記録された多値情報の再生を行うことが出来る。
【発明の効果】
【００２４】
本発明によれば、再生光を集光させた光記録媒体の記録層に記録されている偏光状態を検出することが出来るため、該検出結果に基づいて記録されている偏光状態に係る多値情報を容易に再生することが出来る。
【発明を実施するための最良の形態】
【００２５】
以下、本発明の実施形態につき、図面を参照しながら説明する。
【００２６】
図１は、本発明の第１実施形態である多値情報再生装置１００を示した概略構成図である。
図中の１１は、光記録媒体３００Ａに対して、データの再生を行うための再生光を出射する光源であり、レーザダイオードから成る。光源１１は、偏光状態が直線偏光であり、波長が４０５ｎｍである青紫色レーザ光を出射する。
【００２７】
１２は、光源１１から出射されたレーザ光を平行光に変換するためのコリメートレンズである。１３は、光源１１から出射され、コリメートレンズ１２を透過したレーザ光の偏光状態を直線偏光から円偏光に変換する１／４波長板である。
【００２８】
１４は、１／４波長板１３にて円偏光に変換された再生光を９０°の角度で反射するミラーである。
【００２９】
１５は、光源１１から出射された後、コリメートレンズ１２を透過し、１／４波長板１３にて円偏光に変換され、ミラー１４で９０°の角度に反射された再生光を、後述する光記録媒体３００Ａの記録層３２（図２）に集光させるための対物レンズである。
【００３０】
１６は、対物レンズ１５により光記録媒体３００Ａの記録層３２（図２）に集光された後、光記録媒体３００Ａを透過した再生光を、図中の一点鎖線で示すＰ偏光と、同図中の二点鎖線で示すＳ偏光とに分離する偏光ビームスプリッタである。偏光ビームスプリッタ１６で分離されたＰ偏光とＳ偏光は互いに直交する。
また、偏光ビームスプリッタ１６は、Ｐ偏光を９０°の角度で反射させ、Ｓ偏光を透過させる様に形成されている。
尚、以下の説明において、上述のＰ偏光を「０°偏光」と記載し、Ｓ偏光を「９０°偏光」と記載する。
【００３１】
１７は、偏光ビームスプリッタ１６を透過した９０°偏光を９０°の角度で反射させるミラーである。
【００３２】
１８は、偏光ビームスプリッタ１６で分離された０°偏光の光量（強度）を測定するための第１検出器であり、１９は、偏光ビームスプリッタ１６で分離された９０°偏光の光量（強度）を測定するための第２検出器である。
【００３３】
２０は、第１検出器１８で検出した０°偏光の光量（強度）と第２検出器１９で検出した９０°偏光の光量（強度）に基づいて、記録層３２（図２）に記録された偏光状態を検証し、再生を行うための記録信号を検証する検証部である。
【００３４】
２１は、検証部２０による検証の際に参照されるデータが記憶された記憶部であり、該記憶部２１には、０°偏光の光量（強度）や９０°偏光の光量（強度）、その他検証に要する様々なデータが記憶されている。
【００３５】
記憶部２１に記憶されているデータは、例えば、図３に示すようなテーブル形式のデータである。
図３において、６１は、光記録媒体３００Ａに記録された多値情報を表す記録信号であり、本実施形態においては、記録するデータに応じて、１〜７までの異なる記録信号が設けられている。
【００３６】
６２は、記録信号毎に設けられた０°偏光の光量（強度）を示したものであり、６３は、記録信号毎に設けられた９０°偏光の光量（強度）を示したものである。尚、６２，６３の光量（強度）は、いずれも相対値で示してある。
【００３７】
６４は、０°偏光の光量（強度）と９０°偏光の光量（強度）に基づく記録信号毎の演算結果を示しており、演算方法としては減法を用いる。
【００３８】
図２は、データが記録された光記録媒体３００Ａおよび３００Ｂの断面を示した図であり、光記録媒体３００Ａおよび３００Ｂには、記録光の偏光状態が多値情報として記録されている。
図中において、３１は基板であり、ガラスや樹脂等から成る。３２はデータを記録する記録層であり、例えば、ＰＭＭＡ（poly methyl methacrylate：ポリメタクリル酸メチル）等の高分子固体にアゾベンゼン基を有する物質を分散した材料、またはアゾベンゼン基を有する物質とＰＭＭＡ等の高分子との共重合体である材料から成る。ＰＭＭＡに代えて、ＰＶＡ（poly vinyl alcohol：ポリビニルアルコール）を用いてもよい。３３は記録層３２を疵や埃などから保護するための保護層であり、ポリカーボネート等の樹脂から成る。３４は反射層であり、アルミニウム等、反射率の高い金属薄膜から成る。
【００３９】
３６は記録光によって多値情報が記録された記録部位、３７は記録部位３６における記録層３２の層状態を示している。
記録部位３６は、多値情報を記録するための記録光が、記録層３２に集光されることにより形成される。記録部位３６の形成においては、記録層３２の形状は変化しないが、記録層３２を構成している材料、特に、上述したアゾベンゼン系の材料の分子の配向が、記録光の偏光状態に応じて変化し、層状態３７で示すような状態となる。
【００４０】
また、図中の３００Ａは、光源１１（図１）からの再生光が、記録層３２で集光された後、該記録層３２および保護層３３を透過する透過型光記録媒体を示しており、３００Ｂは、光源１１（図１）からの再生光が、記録層３２で集光された後、隣接する反射層３４で反射される反射型光記録媒体を示している。
【００４１】
記録層３２の構成要素の一つであるアゾベンゼン系の材料に使用されているアゾベンゼンの特徴として、光異性化が挙げられ、このアゾベンゼンの光異性化は、即ち、該アゾベンゼンの分子が光によって動くことを意味している。
例えば、アゾベンゼンに対して偏光を照射すると、該アゾベンゼンの分子は、光異方性を繰り返しながら動き、最終的に、その偏光を吸収出来ない配向に落ち着く。つまり、照射される偏光状態に応じて配向を変化させる性質を有する。
【００４２】
上述したアゾベンゼンの特徴を応用すべく、アゾベンゼン系の材料を含む記録層３２に集光させる記録光の光量調整を行い、偏光状態を変化させることで、様々な偏光状態を記録層３２に記録することが出来る。これにより、様々な偏光状態を多値情報として記録することが出来る。
【００４３】
以下、本発明に係る多値情報再生方法について詳述し、一例として、上述した記録信号６１（図３）の１〜７の内、「３」が再生される場合を挙げる。
【００４４】
図１において、光源１１から出射されたレーザ光は、コリメートレンズ１２にて平行光に変換され、１／４波長板１３にて直線偏光から円偏光へ変換される。
１／４波長板１３を透過したレーザ光は、ミラー１４にて９０°の角度で反射され、対物レンズ１５に入射する。
【００４５】
対物レンズ１５に入射した再生光は、光記録媒体３００Ａの記録層３２（図２）にある記録部位３６（図２）に集光され、該記録部位３６を透過する。透過後の再生光の偏光状態は、記録部位３６の層状態３７（図２）により、円偏光から楕円偏光に変化する。
【００４６】
偏光状態が変化し、光記録媒体３００Ａを透過した再生光は、偏光ビームスプリッタ１６に入射することで、互いに直交する０°偏光と９０°偏光に分離される。
【００４７】
分離された２つの偏光の内、０°偏光は、偏光ビームスプリッタ１６により９０°の角度で反射され、第１検出器１８に入射することで、光量（強度）が検出される。
また、分離された２つの偏光の内、９０°偏光は、偏光ビームスプリッタ１６を透過した後、ミラー１７により９０°の角度で反射され、第２検出器１９に入射することで、光量（強度）が検出される。
【００４８】
第１検出器１８および第２検出器１９での検出結果は、検証部２０にて検証され、この検証により、該再生光が透過した記録部位３６に記録された偏光状態が判明する。それにより、対応する記録信号も判明するため、記録されたデータの再生を行うことが出来る。
【００４９】
具体的には、第１検出器１８で検出された光量が０．６７であり、第２検出器１９で検出された光量が１．００の場合、検証部２０は、上述の検出結果に基づいて、記憶部２１に記憶されているデータ（図３）の検証を行う。
【００５０】
この場合、上述の検出結果が、０°偏光の光量（図３の６２）、９０°偏光の光量（図３の６３）、０°偏光の光量から９０°偏光の光量を引いた演算結果（図３の６４）と全て一致する記録信号６１は、「３」であるため、記録信号「３」で表される多値情報を再生することが出来る。また、検出により得られた０°偏光の光量と９０°偏光の光量により、記録部位３６（図２）の偏光状態が楕円偏光であることも判明する。
【００５１】
このように、上述した第１実施形態においては、偏光状態を多値情報として記録した光記録媒体３００Ａの再生に関し、光源１１から出射される再生光の偏光状態を１／４波長板１３にて円偏光に変換し、変換後の再生光を光記録媒体３００Ａの記録層３２にある記録部位３６に集光させ、該記録部位３６を透過させる。この透過により、偏光状態が変化した再生光を偏光ビームスプリッタ１６にて、互いに直交する２つの偏光に分離し、第１および第２検出器１８，１９を用いて、各々の光量を検出する。検出結果は、記録部２１に記憶されたデータと照合することで、検証部２０により検証される。
これにより、再生対象の記録信号が判明し、多値情報の再生を行うことが出来る。
【００５２】
図４は、本発明の第２実施形態である多値情報再生装置２００を示した概略構成図である。図４では、図１と同一部分または対応する部分に同一符号を付してある。
この図４に示す第２実施形態は、図１で示した第１実施形態とほぼ同様の構成であるが、再生対象の光記録媒体が図２に示す反射型光記録媒体３００Ｂであるため、ミラー１４と対物レンズ１５の間に、ハーフミラー２２ａ，２２ｂを配している。
【００５３】
尚、ハーフミラー２２ａは、光源１１から光記録媒体３００Ｂまでの入射光路においては、全ての光を透過し、逆の反射光路においては、０°偏光を９０°の角度で反射し、９０°偏光を透過させるように形成されている。また、ハーフミラー２２ｂは、入射光路において、全ての光を透過し、反射光路において、９０°偏光を９０°の角度で反射させるように形成されている。
【００５４】
また、光源１１から出射された再生光は、記録層３２（図２）に隣接する反射層３４（図２）より反射されるため、第１検出器１８、第２検出器１９、検証部２０および記憶部２１は、図１とは異なり、再生光が透過する透過側ではなく、反射側に配される。
【００５５】
図４において、光源１１から出射されたレーザ光は、コリメートレンズ１２にて平行光に変換され、１／４波長板１３にて直線偏光から円偏光へ変換される。
１／４波長板１３を透過したレーザ光は、ミラー１４にて９０°の角度で反射され、ハーフミラー２２ｂ，２２ａを透過し、対物レンズ１５に入射する。
【００５６】
対物レンズ１５に入射した再生光は、光記録媒体３００Ｂの記録層３２（図２）にある記録部位３６（図２）に集光され、該記録部位３６を透過する。透過後の再生光の偏光状態は、記録部位３６の層状態３７（図２）により、円偏光から楕円偏光に変化する。
【００５７】
偏光状態が変化し、記録部位３６を透過した再生光は、該記録部位３６に隣接する反射層３４（図２）にて反射され、再び、記録部位３６を透過し、対物レンズ１５に再度入射する。
【００５８】
対物レンズ１５に再入射する再生光の偏光状態は、反射層３４（図２）で反射される前と同様の楕円偏光であるが、反射されることにより偏光の向きが９０°回転する。
【００５９】
対物レンズ１５に再入射した再生光の内、０°偏光は、ハーフミラー２２ａにより９０°の角度で反射され、第１検出器１８に入射することで、光量（強度）が検出される。
また、対物レンズ１５に再入射した再生光の内、９０°偏光は、ハーフミラー２２ａを透過した後、ハーフミラー２２ｂにより９０°の角度で反射され、第２検出器１９に入射することで、光量（強度）が検出される。
【００６０】
第１検出器１８および第２検出器１９での検出結果は、検証部２０にて検証され、この検証により、該再生光が透過した記録部位３６に記録された偏光状態が判明する。それにより、対応する記録信号も判明するため、記録されたデータの再生を行うことが出来る。
【００６１】
具体的には、第１検出器１８で検出された光量が０．６７であり、第２検出器１９で検出された光量が１．００の場合、検証部２０は、上述の検出結果に基づいて、記憶部２１に記憶されているデータ（図３）の検証を行う。
【００６２】
この場合、上述の検出結果が、０°偏光の光量（図３の６２）、９０°偏光の光量（図３の６３）、０°偏光の光量から９０°偏光の光量を引いた演算結果（図３の６４）と全て一致する記録信号６１は、「３」であるため、見掛け上は、記録信号「３」で表される多値情報が再生の対象となる。
【００６３】
しかしながら、上述したように、対物レンズ１５に再入射する再生光の偏光状態は、記録部位３６を２度透過することにより、偏光の向きが９０°回転してしまう為、本来、第１検出器１８で検出されるべき光量は１．００であり、第２検出器１９で検出されるべき光量は０．６７である。従って、記録信号「３」で表される多値情報を再生したのでは、誤った情報が再生されることになる。
【００６４】
そこで、検証部２０に対して、第１検出器１８で検出された光量と、第２検出器１９で検出された光量を入れ替えた後、上述の検証方法を実施するプログラムを予め入力しておくことで、誤った記録信号を検出することによる誤再生を防止することが出来る。
【００６５】
上述の検証方法により、０°偏光の光量（図３の６２）が１．００、９０°偏光の光量（図３の６３）が０．６７、０°偏光の光量から９０°偏光の光量を引いた演算結果（図３の６４）が０．３３である記録信号６１は、図３のテーブルにおいては「５」である為、記録信号「５」で表される多値情報が再生される。
【００６６】
この第２実施形態においても、上述した実施形態と同様の効果が得られると共に、上述したとおり、第１検出器１８，第２検出器１９，検証部２０および記憶部２１が、図１とは異なり、再生光が反射される反射側に配されるため、多値情報再生装置２００の小型化を図ることが出来る。
【００６７】
本発明では、以上述べた以外にも種々の実施形態を採用することができる。例えば、上記実施形態では、１／４波長板１３を設けることによって、光源１１から出射されるレーザ光の偏光状態を直線偏光から円偏光に変換したが、１／４波長板１３を設けずに、光源１１を円偏光の光を出射することが可能な光源としてもよい。
【００６８】
また、本発明の実施形態では、記録信号毎に設けられた０°偏光の光量（強度）６２と記録信号毎に設けられた９０°偏光の光量（強度）６３に基づく記録信号毎の演算結果６４は、減法により算出されたが、これに限られず、加法や乗法などを用いてもよい。
【図面の簡単な説明】
【００６９】
【図１】本発明の第１実施形態である多値情報再生装置を示した概略構成図である。
【図２】光記録媒体の断面を示した図である。
【図３】記憶部に記憶されたデータを示した図である。
【図４】本発明の第２実施形態である多値情報再生装置を示した概略構成図である。
【符号の説明】
【００７０】
１３                    １／４波長板  
１５                    対物レンズ
１６                    偏光ビームスプリッタ
１８，１９              検出器
２０                    検証部
２１                    記憶部
３００Ａ，３００Ｂ      光記録媒体
【図１】
2009099226.tif 000003
【図２】
2009099226.tif 000004
【図３】
2009099226.tif 000005
【図４】
2009099226.tif 000006